(57)【要約】      （修正有）【課題】写真画像データを記録情報として積極的に利用する高圧ガス設備管理システム及びコンピュータプログラムを提供する。【解決手段】高圧ガス設備管理システムは、高圧ガス設備の点検記録、又は高圧ガス設備への高圧ガスの供給記録を示す記録情報を自然人たる点検作業者が入力するための点検用端末、点検用端末で記録情報の入力を完了したことを示す通知を受信する管理サーバを備える。更に、記録情報に含まれる写真画像データから加工した結果である追加記録情報を自然人たる加工作業者が入力するための加工用端末、及び記録情報、並びに追加記録情報を記憶する記憶域、を備える。【効果】高圧ガス設備の点検作業者の負担の軽減、及び高圧ガス設備の点検作業に対する公共の信頼の確保が可能となる。【選択図】図１
2019185368.tif 000002
【特許請求の範囲】
【請求項１】
高圧ガス設備の点検記録、又は高圧ガス設備への高圧ガスの供給記録を示す記録情報を自然人たる点検作業者が入力するための点検用端末、前記点検用端末で前記記録情報の入力を完了したことを示す通知である点検完了通知その他の通知を受信する管理サーバ、前記記録情報に含まれる写真画像データから加工した結果である追加記録情報を自然人たる加工作業者が入力するための加工用端末、及び記録情報、並びに追加記録情報を記憶する記憶域、を備える高圧ガス設備管理システムであって、前記点検用端末は、自端末を操作する前記点検作業者が前記写真画像データを自端末に入力するための写真画像データ入力部、及び前記点検完了通知を送信する点検完了通知送信部を備え、前記管理サーバは、少なくとも、前記点検完了通知その他の通知を受信する点検完了通知受信部、前記追加記録情報への加工の必要が生じたことを示す通知である要加工通知を送信する要加工通知送信部、又は前記写真画像データから前記追加記録情報への加工が完了したことを示す通知である加工完了通知その他の通知を受信する加工完了通知受信部を備え、前記加工用端末は、前記要加工通知その他の通知を受信する要加工通知受信部、前記画像データを画像として表示する画像データ表示部、自端末を操作する前記加工作業者が前記追加記録情報を自端末に入力する追加記録情報入力部、及び前記加工完了通知を送信する加工完了通知送信部を備えることで、写真画像データを、高圧ガス設備の点検記録、又は高圧ガス設備への高圧ガスの供給記録を示す記録情報として積極的に利用することを可能とする、高圧ガス設備管理システム。
【請求項２】
請求項１に記載の高圧ガス設備管理システムにおける、前記加工作業者が前記追加記録情報を前記加工用端末に入力するために用いられるコンピュータプログラム。
【発明の詳細な説明】
【技術分野】
【０００１】
本発明は、高圧ガス設備の点検、及び高圧ガス設備への高圧ガスの供給の管理に関するものである。
【背景技術】
【０００２】
高圧ガス設備とは、高圧ガスを製造する機能を有する設備をいう。高圧ガス設備としては、低温液化ガス貯槽その他がある。
【０００３】
高圧ガス設備、又は容器（以下、「高圧ガス設備等」という。）に貯蔵されている高圧ガスは、環境、運転条件その他の様々な要因により様々な状態に変化する。また、高圧ガス設備等は、高圧ガス設備等に様々な要因により負荷がかかることで、高圧ガス設備等に何らかの異常が生じ、高圧ガス設備等の周辺で重大な人的、又は物的危険を発生させるおそれがある。そのため、高圧ガス設備等の管理者には厳格な点検作業の実施が法令により義務付けられている（例えば、高圧ガス設備に関して特許文献２、並びに特許文献５参照、及び高圧ガス容器に関して特許文献１、特許文献３、並びに特許文献４参照。）。
【０００４】
高圧ガス設備の点検記録、又は高圧ガス設備への高圧ガスの供給記録を示す記録情報（以下、「記録情報」という。）を、情報処理装置（以下、「コンピュータ」という。）で管理するためのシステムとして様々なものが提案されており（例えば、特許文献２、及び特許文献5参照。）。この中には高圧ガス設備の点検、又は高圧ガス設備への高圧ガスの供給作業（以下、「点検作業」という。）に係る作業者（以下、「点検作業者」という。）の負担を軽減するという目的で提案されているものもある（例えば、特許文献５参照。）。
【先行技術文献】
【特許文献】
【０００５】
【特許文献１】特開平６-９４１９２号公報
【特許文献２】特開２０１３-１４５４７８号公報
【特許文献３】特開２０１４-１９９５９０号公報
【特許文献４】特開２０１５-２２２５５１号公報
【特許文献５】特開２０１７-１５７１６７号公報
【発明の概要】
【発明が解決しようとする課題】
【０００６】
しかしながら、記録情報に写真画像データを加えることにより、点検作業者の負担をさらに軽減することが可能である。また、記録情報に写真画像データを加えることで、写真の証明力の高さを基礎として、点検作業に対する公共の信頼が高まることも期待できる。
【０００７】
この点、特許文献５の段落番号００５８、及び段落番号００７３では、情報として画像も利用できることに言及している。しかしそれらは、写真画像データの特徴を生かすことにより点検作業者の負担を軽減するという目的をもって、写真画像データを積極的に利用しようとする意図まで見受けられるものではない。
【０００８】
そこで、本発明は、記録情報に含まれる写真画像データを積極的に利用することにより、点検作業者の負担を軽減するための技術、及び点検作業に対する公共の信頼を確保するための技術を提供することを目的としている。
【課題を解決するための手段】
【０００９】
本発明の一態様は、高圧ガス設備の点検記録、又は高圧ガス設備への高圧ガスの供給記録を示す記録情報を自然人たる点検作業者が入力するための点検用端末、前記点検用端末で前記記録情報の入力を完了したことを示す通知である点検完了通知その他の通知を受信する管理サーバ、前記記録情報に含まれる写真画像データから加工した結果である追加記録情報を自然人たる加工作業者が入力するための加工用端末、及び記録情報、並びに追加記録情報を記憶する記憶域、を備える高圧ガス設備管理システムであって、前記点検用端末は、自端末を操作する前記点検作業者が前記写真画像データを自端末に入力するための写真画像データ入力部、及び前記点検完了通知を送信する点検完了通知送信部を備え、前記管理サーバは、少なくとも、前記点検完了通知その他の通知を受信する点検完了通知受信部、前記追加記録情報への加工の必要が生じたことを示す通知である要加工通知を送信する要加工通知送信部、又は前記写真画像データから前記追加記録情報への加工が完了したことを示す通知である加工完了通知その他の通知を受信する加工完了通知受信部を備え、前記加工用端末は、前記要加工通知その他の通知を受信する要加工通知受信部、前記画像データを画像として表示する画像データ表示部、自端末を操作する前記加工作業者が前記追加記録情報を自端末に入力する追加記録情報入力部、及び前記加工完了通知を送信する加工完了通知送信部を備えることで、写真画像データを、高圧ガス設備の点検記録、又は高圧ガス設備への高圧ガスの供給記録を示す記録情報として積極的に利用することを可能とする、高圧ガス設備管理システムである。
【００１０】
本発明の一態様は、前記高圧ガス設備管理システムにおける、前記加工作業者が前記追加記録情報を前記加工用端末に入力するために用いられるコンピュータプログラムである。
【発明の効果】
【００１１】
本発明により、点検作業者の負担を軽減すること、及び点検作業に対する公共の信頼を高めることが可能となる。
【図面の簡単な説明】
【００１２】
【図１】本発明における高圧ガス設備管理システムの全体的な構成を図示したものである。
【図２】図１から点検用端末と管理サーバとの関係だけを抜粋して図示したものである。
【図３】図１から管理サーバと加工用端末との関係だけを抜粋して図示したものである。
【図４】点検アプリの一例を図示したものである。
【図５】加工アプリの一例を図示したものである。
【発明を実施するための形態】
【００１３】
高圧ガス設備の点検に係る運用の流れ、及び点検作業の不備による不利益等については、例えば、特許文献５の段落番号００２５から段落番号００２９を参照のこと。このように、点検作業者の負担を軽減すべきことは、高圧ガス設備に係る者にとって重要な課題である。
【００１４】
以下、本発明における高圧ガス設備管理システム（以下、「本システム」という。）の実施形態の詳細について説明する。
【００１５】
図１は、本システムの全体的な構成を図示したものである。
【００１６】
点検用端末には、写真撮影機能を有するスマートフォン、タブレットその他のスマートデバイス（以下、「スマホ等」という。）を用いる。
【００１７】
加工用端末には、スマホ等、又はノートパソコン、デスクトップパソコンその他のパソコン（以下、「パソコン等」という。）を用いる。
【００１８】
管理サーバには、パソコン等、又はパソコン等以外のコンピュータを用いる。パソコン等以外のコンピュータとは、例えば、サーバ専用に設計されたコンピュータのことである。管理サーバは、１個とは限らず、２個以上の管理サーバが連携することにより本システムを実現する場合もある。その場合でも管理サーバー群全体で果たすべき役割としてみれば異なるところはないため、その場合の管理サーバ群についても、以下では単に管理サーバという。
【００１９】
点検用端末、加工用端末、又は管理サーバとして用いられる、スマホ等、パソコン等、又はパソコン等以外のコンピュータは、一般的なコンピュータプログラムを実行できる一般的なコンピュータである。これらは通常、ＣＰＵ、メモリ、補助記憶装置、通信装置その他ハードウェアを備えているが、これらハードウェアは、仮想化技術によってソフトウェアでエミュレートされている場合もありうる。なお、パソコン等以外のコンピュータには、一般的なコンピュータとはいえないが一般的なコンピュータと互換性がある、又は仮想化技術によって一般的なコンピュータと同じコンピュータプログラムを実行できるようにエミュレートされたものも含まれる。
【００２０】
記憶域とは、コンピュータがデータを記憶する場所である。例えば、ハードディスクドライブ（HDD)とそれを制御するための装置により実現される。
【００２１】
写真画像データとは、撮影された写真を画像データとして符号化したものをいう。例えば、符号化の形式としてはJPEG形式が有名である。
【００２２】
図２は、図１で示した本システムの全体的な構成における点検用端末と管理サーバの関係だけを抜粋して図示したものである。図２において、点検用端末１と管理サーバ３は、移動体通信網４を介して接続され、点検用端末１から管理サーバ３に向けて点検完了通知７が送信される。点検完了通知７は、ある介在装置を介して間接的に通知される場合も考えられるが、その場合でも、介在装置は、少なくとも点検完了通知７の存在を示す情報を送信せざるを得ず、すなわち点検完了通知７の本質まで失わせるような介在を行うことは不可能であるため、管理サーバ３は点検完了通知７を直接受信した場合と同様に処理を継続できる。よって、以下では、点検完了通知７には、点検完了通知７そのものみならず、かかる通知とその本質が異ならない通知をも含むものとする。移動体通信網４には、携帯電話等が一般に使用するグローバルな公衆用通信網だけではなく、構内Wi-Fiのようなローカルな通信網も含まれる。なお、管理サーバ３が、移動体通信網４に直接接続されることは実際にはほとんどなく、多くの場合、管理サーバ３は、ローカルエリアネットワークＬＡＮ６の構成要素とされて、同じくＬＡＮ６の構成要素であるルータ５を介して移動体通信網４に接続される。また、管理サーバ３は、必ずしも点検作業者が所属している組織の事務所や点検対象となる高圧ガス設備を管理している事務所内に置かなければいけないものではない。むしろ、管理サーバ３は、いわゆるクラウド型サーバとして、サーバのレンタルを専門的に業とする者が管理する場所に置かれるのが一般的である。
【００２３】
図３は、図１で示した本システムの構成における管理サーバと加工用端末との関係だけを抜粋して図示したものである。図３において、管理サーバ３と加工用端末２とは、通信網８を介して接続され、管理サーバ３から加工用端末２に向けて要加工通知９が、加工用端末２から管理サーバー３に向けて加工完了通知１0が送信される。要加工通知９、又は加工完了通知１0は、ある装置を介して間接的に通知される場合も考えられるが、その場合でも、介在装置は、少なくとも各通知の存在を示す情報を送信せざるを得ず、すなわち各通知の本質まで失わせるような介在を行うことは不可能であるため、加工用端末２、又は管理サーバ３は各通知を直接受信した場合と同じように処理を継続できる。よって、以下では、要加工通知９、又は加工完了通知１0には、各通知そのものみならず、かかる通知とその本質が異ならない通知をも含むものとする。通信網８には、公衆向けに開放されたグローバルな通信網だけではなく、構内ＬＡＮのように使用者が限定されたローカル通信網も含まれる。後者の場合、加工用端末２もＬＡＮ６の構成要素であるということもあり得る。
【００２４】
図２、及び図３における記憶域３０は、記録情報が記憶される場所を示すものである。そして、図１における記憶域は、記憶域３０、及び後述する記憶域２４を含む概念である。なお、図２、及び図３は、管理サーバ３、及び記憶域３０が物理的に同一の装置上に存在しなければならないことまで示すものではない。また、点検用端末１、及び加工用端末２が、管理サーバ３を介さずに記憶域３０にアクセスすることはできない、ということを示すものでもない。
【００２５】
自然人たる点検作業者は、点検用端末１上で所定のアプリケーション（以下、「点検アプリ」という。）を起動する。なお、点検アプリを起動するためには、個々の点検作業者固有のパスワードの入力が必要となるため、点検アプリを起動するだけで点検作業を実際に行った者が特定されて、誰が点検作業者かという記録情報の一項目として提供されることになる。
【００２６】
図４は、点検アプリの一例を図示したものである。なお、同図は、本システムを説明するうえで必要最小限度のものを示したものに過ぎない。
【００２７】
点検作業者は、点検作業を実施すべき時期がきたら、点検作業の対象となる高圧ガス設備（以下、「対象設備」という。）が設置されている場所へ赴き、必要とされる点検作業を実施するとともに、点検用端末１上で起動済みの点検アプリを使用して、対象設備その他を被写体とする写真画像データを作成し、点検用端末１の写真画像データ入力部１１へ入力する。通常、写真画像データの作成、及び写真画像データ入力部１１への入力は、点検用端末１が有する写真撮影機能を用いて行われる。なお、主となる被写体は、例えば、高圧ガス設備全体、計器部、及びバルブ部、又は高圧ガスの納入業者が発行する計量表その他の書面である。
【００２８】
点検作業、及び撮影を終えたら、点検作業者は、点検作業を実施したこと、及び入力した写真画像データの内容を確認したことに同意した旨の情報を、点検アプリ上の同意情報入力部１２へ入力する。点検作業者がかかる情報の入力を行うと、点検用端末１は、写真画像データを含む記録情報の入力が完了したことを示す通知である点検完了通知７を送信する。点検用端末１は、記憶域３０に記録情報を記憶する機能を有する場合もあり、その場合、点検用端末１は、記憶域３０に記録情報を記憶する。なお、写真画像データに含まれる撮影日時情報、又は送信日時により、点検日時が特定され、記録情報の一項目として提供されることになる。
【００２９】
必要があれば、点検完了通知７を受信した管理サーバ３は、点検完了通知７から取り出した結果、点検用端末１に問い合わせた結果その他の結果に含まれる記録情報を、記憶域３0に記憶する。点検完了通知７を受信した管理サーバ３は、記憶域３0に記憶された記録情報に含まれる写真画像データから記録情報を加工する必要が生じた旨を示す通知である要加工通知９を送信する。なお、管理サーバ３は、過去の加工記録を元にして写真画像データから記録情報を加工する例（以下、「加工例」という。）を作成する機能を有する場合もある。
【００３０】
加工用端末２が要加工通知９を受信することで、自然人たる加工作業者は、加工用端末２上で所定のアプリケーション（以下、「加工アプリ」という。）を起動すべきであることを認識することになる。
【００３１】
図５は、加工アプリの一例を図示したものである。なお、同図は、本システムを説明するうえで必要最小限度のものを示したものに過ぎない。また、記憶域２４は加工用端末２上に物理的に搭載されているものに限られない。さらに、記憶域２４と記憶域３０は物理的に同一の装置上に存在することもありうる。
【００３２】
加工作業者が加工アプリを起動すると、記憶域３０に記憶された写真画像データが、加工アプリ上の画像表示部２１に画像として表示される。加工作業者は、画像表示部２１に表示された画像を見ながら、追加すべき情報を決定し、かかる情報を加工アプリ上の追加記録情報入力部２２に追加記録情報として入力する。追加記録情報の入力を終えたら、加工作業者は加工アプリ上で、加工を完了した旨の情報を加工完了情報入力部２３に入力する。かかる情報が入力されると、加工用端末２は、加工完了通知１０を送信する。加工用端末２は、追加記録情報を記憶域２４に記憶する機能を備えている場合もあり、その場合、加工用端末２は、記憶域２４に追加記録情報を記憶する。なお、加工アプリは、加工例を作成する機能、又は点検サーバが作成した加工例を参照する機能を有する場合もある。その場合、加工アプリは、追加記録情報入力部２２その他の部分に加工例を示し、加工作業者の判断をサポートする。
【００３３】
写真画像データから加工した追加記録情報を、加工用端末に入力するためのコンピュータプログラムは、加工アプリ上で動作するものであって、記録情報に含まれる写真画像データを画像としてディスプレイ装置上に表示する場所である画像表示部２１を提供する機能を備え、加工作業者が追加記録情報を入力すべき場所である追加記録情報入力部２２を提供する機能を備え、及び加工作業者が追加記録情報の入力を終えたことを示す情報を入力すべき場所である加工完了情報入力部２３を提供する機能を備えたコンピュータプログラムである。これらの表示機能、及び入力機能は、コンピュータ上で動作するＯＳが提供するＡＰＩにアクセスすることでも実現できるものであり、本システムの中心的な役割を果たすコンピュータプログラムであるという点を除き、特別なものではない。また、これらの機能は、画像表示部２１に画像を表示、追加記録情報入力部２２に入力された情報を取得、加工完了情報入力部２３に入力された情報を取得、という流れで連携して動作するものであるが、およそ多くのコンピュータプログラムにおける表示機能と入力機能との連携としてごく当前の動作であるため、やはり本システムの中心的な役割を果たすコンピュータプログラムであるという点を除き、特別なものではない。
【００３４】
必要があれば、加工完了通知１０を受信した管理サーバ３は、加工完了通知１０から取り出した結果、加工用端末２へ問い合わせた結果その他の結果に含まれる追加記録情報を記憶域２４上に記憶する。
【００３５】
最終的に、記憶域３０に記憶された写真画像データを含む記録情報、及び記憶域２４に記憶された追加記録情報（以下、「総記録情報」という。）が高圧ガス設備の点検記録として利用されることになる。
【００３６】
以上の手順によれば、点検作業者が行うべきことは、目視等による実質的な点検作業、並びに写真画像データの作成すなわち写真撮影行為、及び点検作業を行ったこと並びに作成した写真画像データの内容の確認行為すなわち写真画像データを含む記録情報を管理サーバ宛てに送信する行為のみである。これら一連の行為のうち、写真撮影行為は、一般的にスマホ等を用いて行われている写真撮影行為と異なるものではないし、記録情報を管理サーバ宛てに送信する行為もスマホ等の画面をいわゆるタップするだけであるため、記録情報を点検書面やパソコン等に入力する作業と比較すると、点検作業者の負担はかなり軽減される。それにより、点検作業者は、目視等による実質的な点検作業に集中できるようになる。換言すると、加工作業者が点検作業者の作業の一部を代行することにより、点検作業者の負担は軽減されることになるのである。
【００３７】
総記録情報には、記録情報の一部たる写真画像データも含まれている。写真画像データの改ざんは困難であるため、その証明力が高く、公共の信頼が高い。また、写真画像データには、多くの場合、撮影日時の情報が含まれるため、点検実施日時を不正に操作することが困難となる。このようなことから、点検情報に写真画像データを加えることにより、点検作業に対する公共の信頼が高まるといえる。
【００３８】
点検作業者又はその他の者が、総記録情報中に誤りを発見し修正の必要が生じた場合は、総記録情報の修正権限を有する者に修正を依頼することで、総記録情報を修正することが可能である。なお、修正された旨を記憶域等に記録することにより修正権限の濫用を防止できる。また、写真画像データから読み取れる情報と追加記録情報に齟齬が生じているときは、写真画像データが誤っているということはあり得ないことを理由として、写真画像データを確認しなおすことにより修正すべき追加記録情報を確定することができる。さらに、管理サーバ、及び記憶域を社外に置くことにより、記憶された総点検情報の改ざんは困難となるため、総点検情報の信頼性はより高いものとなる。
【００３９】
点検作業者が点検アプリの起動時に行うパスワード認証により、点検書面への署名に匹敵する点検作業者の本人性の証明力は確保できる。必要であれば、マイナンバーカードその他のICカードを用いたり、点検作業者の署名を写真画像データとして記録情報に含めることにより、同証明力を補填しうる。
【００４０】
以上、この発明の実施形態について図面を参照して詳述してきたが、具体的な構成はこの実施形態に限られるものではなく、この発明の要旨を逸脱しない範囲の設計等も含まれる。
【符号の説明】
【００４１】
１  点検用端末１
２  加工用端末２
３  管理サーバ３
４  移動体通信網４
５  ルータ５
６  ＬＡＮ６
７  点検完了通知７
８  通信網８
９  要加工通知９
１０  加工完了通知１0
１１  写真画像データ入力部１１
１２  同意情報入力部１２
２１  画像表示部２１
２２  追加記録情報入力部２２
２３  加工完了情報入力部２３
２４  記憶域２４
３０  記憶域３０
【図１】
2019185368.tif 000003
【図２】
2019185368.tif 000004
【図３】
2019185368.tif 000005
【図４】
2019185368.tif 000006
【図５】
2019185368.tif 000007